Podtech/llm-jp-corpus-v4-ja_patent huggingface dataset:
(57)【要約】【課題】一般家庭でも簡易迅速に寒冷紗の取り付け取り外しを行うことができる寒冷紗取付け構造体を提供すること。【構成】開閉可能な傘骨組状の（ロッド１０、親骨１３、受け骨１５、ロクロ１２，１７、寒冷紗１８などから構成される寒冷紗取付け構造体）の親骨１３上にポリエチレン多孔質シートやポリエステルなどで構成された寒冷紗１８を取付け自在に張架するものである。傘骨組体を随時開閉することで自由自在に植物を寒冷紗で覆ったり取り外したりして、植物等の育成に最適な状態を容易にすることができる。【選択図】図１
0003114934.tif 000002
【実用新案登録請求の範囲】
【請求項１】
開閉可能な傘骨組体の親骨上に寒冷紗が取付け自在に張架されていることを特徴とする寒冷紗取付構造体。
【考案の詳細な説明】
【技術分野】
【０００１】
本考案は、寒冷紗取付け構造体更に詳しくは寒冷紗の取付け取り外しが迅速容易にできる所謂ポータブルミニ寒冷舎（寒冷紗で覆った部分を形成する構造体）に関するものである。
【背景技術】
【０００２】
寒冷紗はポリエチレン多孔質シートやポリエステルなどで構成されたレース地のような布地を植物の上方に張っておき、日中においては人工的な日陰を作って温度や日射量を調節して、植物の育成に最適な状態を作ったり、冬季夜間の場合には放射冷却による異常冷却を防止するため等に用いるものである。
【考案の開示】
【考案が解決しようとする課題】
【０００３】
従来の寒冷紗にあっては枠組みなどの構造体に広げられた寒冷紗の周縁部分等を紐などで結び付けることによって当該寒冷紗を張りめぐらすものであった。このため以下のような難点があった。
【０００４】
一戸建ての庭先やマンションのベランダなどで盆栽などのような鉢植え植物を行う場合において、従来の寒冷紗の取付け方では、寒冷紗を張ったり片付けたりするのに、そのつど周縁にある紐などを結んだり解いたり、あるいは寒冷紗を支える支柱を容易したりしなければならず極めて煩雑であった。
【課題を解決するための手段】
【０００５】
本考案においては、開閉可能な傘骨組体の親骨に寒冷紗を取付け自在に張架するものであることを最も主要な特徴とする。
【考案の効果】
【０００６】
この考案によれば、傘骨組体を開閉することで自由自在に植物を寒冷紗で覆ったり取り外したりすることができ極めて簡便であるという利点がある。
【０００７】
また、本考案によれば、市販されている安価な傘の布地（ビニール）を取り外して、寒冷紗に取り換えることによって簡単に製作できるといった利点がある。
【考案を実施するための最良の形態】
【０００８】
以下に本考案の実施の形態について図面を参照しながら説明する。
【０００９】
図１は、本考案構造の第１実施例の斜視図、図２は部分的正面断面図である。
【００１０】
図１及び図２に示すように、本考案の寒冷紗取付け構造体は、ロッド１０上端に石突１１及び上ロクロ１２が固定的に取付けられている。上ロクロ１２には複数の親骨１３の各一端が回転可能に片持ち支持されている。上記ロッド１０は例えば折り畳み傘のように長さが調節可能にしておくことが望ましい。
【００１１】
各親骨１３の中間部には夫々受け骨１５の一端が回転可能に枢支されている。この受け骨１５の他端はロッド１０に昇降自在に取り付けられた昇降ロクロ１７に枢支されている。
親骨１３の上側には例えば８角形などの傘布状に裁断された寒冷紗１８が取付けられている。
図示において番号１９は寒冷紗１８を使用状態である開状態で昇降ロクロ１７を係止する上ハジキであり、番号２０は寒冷紗１８を収納状態である閉状態で前記昇降ロクロ１７を係止する下ハジキである。
【００１２】
寒冷紗１８は例えば遮光率１１〜８０％の内の任意のものから選択し、網目構造や色も任意のものから選択する。
なお、寒冷紗１８は全面を一種類のもので構成する必要はなく、周方向に複数の遮光率のものを用いるものとしても良い。この場合には、位置を周方向に回転させることで複数の遮光率を確保できる。即ち、１本の１本の寒冷紗取付け構造体を用意するだけで、適宜遮光率を変えることができる。
【００１３】
図示において番号１８１は暖簾状に垂れ下がった部分であり、これは必要に応じて設けるようにすれば良く、本考案の必須のものではないが、背の高い植木などに対応させるためである。
寒冷紗１８の取付け方（張り方）としては中央部に円形部を設けておき石突１１にこれを係合させる。この円形部はほつれたりしないようにリング状に補強されている。
寒冷紗１８の周縁部には所定の角度、例えば親骨が８本の場合には４５度間隔で親骨１３の先端に係合する露先部３１を取付けておく。親骨に沿った部分には特に図示しないが例えば合成樹脂などからなるアルファベット小文字のエル字形の結束クリップで寒冷紗を親骨１３に留めておく。
【００１４】
図示において番号３５はワイヤであり、寒冷紗を開いた状態で固定するため（テント状に張るため）に複数本用意しておくものである。一端側には石突１１に係止するリング３５１が設けられている。他端側には例えば地中に打たれた杭３５２などに係止するリング３５２を有している。この他端側はマンションのベランダなどにおいては例えば転落防止柵に結んでおく
【００１５】
上記実施例では寒冷紗が八角形のものとしたが、これに限定されるものではなく図４に示すように四角形のものであってもよい。
【００１６】
また、骨組み構造は上記のものに限定されるものではなく、折り畳み式の構造としておいても良い。
【産業上の利用可能性】
【００１７】
家庭で取り付け取り外しが簡易迅速にできる寒冷紗を提供することができ、家庭で盆栽などの育成や各種の植物のプランタ育成を容易に行うことができる。
【図面の簡単な説明】
【００１８】
【図１】本考案の寒冷紗取付け構造体の全体を示した斜視図。
【図２】本考案の寒冷紗取付け構造体の内部構造を示した説明図。
【図３】本考案の寒冷紗取付け構造体の一部拡大図。
【図４】本考案の他の実施例を示した斜視図。
【符号の説明】
【００１９】
１０  ロッド
１１  石突
１２  上ロクロ
１３  親骨
１５  受け骨
１７  下ロクロ
１８  寒冷紗
１９，２０  ハジキ
【図１】
0003114934.tif 000003
【図２】
0003114934.tif 000004
【図３】
0003114934.tif 000005
【図４】
0003114934.tif 000006
(57)【要約】      （修正有）【課題】トランジスタ全体の薄型化を図るべく、チップが安定して設置されるトランジスタを提供する。【解決手段】チップ１、リードフレーム２、ブリッジ３、モールディング４より構成し、該ブリッジ１両端にはそれぞれ支持段３１を設け、且つ中間には水平の固定段を設け、該ブリッジ３の固定段底面には少なくとも一つのチップ１を貼設固定し、該チップ１両側にはリードフレーム２の複数のピン２１を設け、該チップ１外囲にモールディング４を施し、該チップ１の設置の安定化及び該トランジスタ全体の薄型化を図ると同時に、該ブリッジ３では二つのチップ１を重ねることのできる構造を提供する。【選択図】図２
0003114939.tif 000002
【実用新案登録請求の範囲】
【請求項１】
チップ、リードフレーム、ブリッジ、モールディングより構成されるトランジスタにおいて、
該ブリッジは略アーチ型を呈しており、両端はそれぞれ下向に延伸する支持段、中間には水平の固定段が設けられ、該ブリッジの固定段底面に粘着層により、少なくとも一つのチップを貼設固定し、該チップの両側には該リードフレームの複数のピンを設け、該チップとピンとの間は金属線で連結し、該ブリッジの両端とリードフレームをつなげて、該チップの外囲には該チップを密封するモールディングを行なうことにより、チップを安定させることを特徴とするチップが安定して設置されるトランジスタ。
【請求項２】
該ブリッジは略コの字型を呈することを特徴とする請求項１記載のチップが安定して設置されるトランジスタ。
【請求項３】
該ブリッジには固定段上面にて貼設固定されるもう一つのチップを含み、一つのトランジスタに二つのチップが重ねられた構造を具有することを特徴とする請求項１記載のチップが安定して設置されるトランジスタ。
【考案の詳細な説明】
【技術分野】
【０００１】
本考案はチップが安定して設置されるトランジスタに係り、特にチップのパッケージングを安定させることでトランジスタの薄型化を図るべく、チップを重ねてる構造を提供するトランジスタに関わる。
【背景技術】
【０００２】
公知におけるトランジスタの構造は、図５に示すようにチップ１０の下方にリードフレーム２０が設けられ、該リードフレーム２０両側には複数の配列されたピン２０１を具有し、該チップ１０が外部と電気的に連結する個所を提供する。該チップは金属線３０により各該ピン２０１と連結され、通常該チップ１０を密封するモールディング４０が外囲に設けられ、こうして一つのトランジスタが完成する。
しかし上述の構造ではピンが湾曲していることで全体が厚くなりやすく、小型化や薄型化の妨げとなっている。そこで図６に示すように、リードフレーム２０´のピン２０１´はブロック状に改良されており、テープに２０２´により該ピン２０１´が該チップ１０´下方に固定され、該チップ１０´は金属線３０´により各該ピン２０１´と連結する。更に該チップ１０´を密封するモールディングで外囲を覆う。こうすることでトランジスタ全体の高さを縮小し、製品の薄型化を図る。
【考案の開示】
【考案が解決しようとする課題】
【０００３】
上述によりトランジスタの高さは縮小されたものの、チップはピン上に設置する構造が変わらないため、薄型化に限界があり、またトランジスタの性能とチップの安定性においても改良の余地があることが言える。
そこでトランジスタ全体の薄型化を図るべく、本考案のチップが安定して設置されるトランジスタを提供する。
【課題を解決するための手段】
【０００４】
チップ、リードフレーム、ブリッジ、モールディングより構成し、該ブリッジはアーチ型を呈したものとし、且つ両端にはそれぞれ支持段を設け、且つ中間には水平の固定段を設け、該ブリッジの固定段底面には少なくとも一つのチップを貼設固定し、該チップ両側にはリードフレームの複数のピンを設け、該チップ外囲にモールディングを施し、該チップの設置の安定化及び該トランジスタ全体の薄型化を図ると同時に、該ブリッジでは二つのチップを重ねることのできる構造を提供する。
【考案の効果】
【０００５】
本考案によると、チップの設置が更に安定すると同時にトランジスタの薄型化が実現し、二つのチップを重ねることでトランジスタの性能が高められる。
【考案を実施するための最良の形態】
【０００６】
各図に示すように、本考案にはチップ１、リードフレーム２、ブリッジ３、モールディング４より構成される。
該チップ１は公知の技術の範囲であるため敢えて詳細を記述しない。該リードフレーム２においては、両側或いは四周に複数のピン２１が配列して構成される対外電気的部品であり、各該ピン２１には外接電気的連結端２１１及び内接電気的連結端２１２であり、該モールディング４においては、該チップ１とリードフレーム２の一部の絶縁体を被覆及び密封する。また本考案にはブリッジ３が設けられるが、該ブリッジ３は略コの字型を呈しており、両端には下方に延伸する支持段３１が設けられ、中間には水平状の固定段３２（図３参照）を具有する。該ブリッジ３の固定段３２底面は粘着層５により少なくとも一つのチップ１を粘着しており、該チップ１の両側にはリードフレーム２の複数のピン２１が設けられ、該チップ１と該ピン２１の内接電気的連結端２１２間は金属線６で連結され、チップ外囲には該チップ１を密封するモールディング４を実施し、チップを安定させる。
【０００７】
また該チップ１は、該リードフレーム２を設置する前、該ブリッジ３下に貼設固定されることで、パッケージングの過程及びその完了後、該チップ１が安定し、且つ保護される目的を達成する。該リードフレーム２の両側や四周に設けられた複数のピン２１は該チップ１側面に配列させ、該チップ１の高度を低くすることにより、該モールディング４完成後の薄型化を実現する。
【０００８】
図４に示すように、本考案のトランジスタ内部のブリッジ３の構造であるが、該ブリッジ３底面にチップ１を貼設する他、該ブリッジ３の固定段３２上にはチップ１が貼設固定される。つまり一つのトランジスタ内に二つのチップ１、１´を重ねて固定する構造を提供し、トランジスタの性能を高めるものとする。
【図面の簡単な説明】
【０００９】
【図１】本考案のトランジスタのパッケージ構造の俯瞰図である。
【図２】本考案のトランジスタのパッケージ構造の正面断面説明図である。
【図３】本考案のトランジスタのパッケージ構造の側面断面説明図である。
【図４】本考案における実施例であり、チップを重ねた構造を示す断面図である。
【図５】公知におけるトランジスタパッケージの構造の断面説明図である。
【図６】もう一つの公知におけるトランジスタのパッケージ構造を示す断面図である。
【符号の説明】
【００１０】
１、 １´  チップ
２  リードフレーム
２１  ピン
２１１  外接電気的連結端
２１２  内接電気的連結端
３  ブリッジ
３１  支持段
３２  固定段
４  モールディング
５  粘着層
６  金属線
【図１】
0003114939.tif 000003
【図２】
0003114939.tif 000004
【図３】
0003114939.tif 000005
【図４】
0003114939.tif 000006
【図５】
0003114939.tif 000007
【図６】
0003114939.tif 000008
(57)【要約】      （修正有）【課題】刷毛本体に糊の通る管を施した糊付け器具を提供する。【解決手段】障子貼りに適した濃度の糊を入れたプラスチックボトルに、刷毛に糊の通る管を施した本体を装着させ、糊を作る作業を省き、刷毛の中から糊が出て、簡単に糊付けが出来ることを特徴とする糊付け器具。【選択図】図１
0003114035.tif 000002
【実用新案登録請求の範囲】
【請求項１】
障子貼りに適した濃度の糊を入れたプラスチックボトルに、刷毛に糊の通る管を施した本体を装着させ、糊を作る作業を省き、簡単に糊付けが出来る器具である。
【考案の詳細な説明】
【技術分野】
【０００１】  本発明は、糊を刷毛本体より出す器具である。
【背景技術】
【０００２】  従来、障子戸に糊をつけるチューブ状の物はあった。
【考案の開示】
【考案が解決しようとする課題】
【０００３】  しかし、次のような問題点があった。
（イ）障子の桟に少しずつ押し出しながら付けていく為、平均に塗る事が難しく、長い時間を要した。
（ロ）糊の付け方にむらが生じる為、剥がす作業が困難であった。
本発明は、これらの問題点を解決する為のものである。
【課題を解決するための手段】
【０００４】  障子貼りに適した濃度の糊を入れたプラスチックボトルに、刷毛に糊の通る管を施した本体を装着させ、糊を作る作業を省き、刷毛の中から糊が出て、簡単に糊付けが出来る事を特徴とする器具である。
【考案の効果】
【０００５】  刷毛によって、簡単に無駄なく早く糊つけができる。
従来は、刷毛で糊をつける場合、糊盆に糊を出し、刷毛で水を入れながら薄め、糊付けをするという手間がかかり、さらに糊の無駄が出る事は当たり前であったが、本発明は、手間を最小限にし、糊の無駄を無くし、簡単に最大の効果を出す事が出きるものである。
【考案を実施するための最良の形態】
【０００６】  以下、本発明の実施の形態について説明する。
（イ）糊入れボトル（４）に糊が入っている。
（ロ）糊は（５）の管を通る。
（ハ）糊は（６）の糊出し口に開いた約１０個の穴より出る。
（ニ）（２）と（４）は（３）の接続部分より離す事ができ、（４）の取替えを容易にする。
（ホ）本発明は、以上のような構成で、使用するときは刷毛を下向きにし（４）を軽く押し、適当な糊を（１）の刷毛先に出して使用するものである。
【図面の簡単な説明】
【０００７】
【図１】本発明の正面図
【図２】本発明の１部を切り欠いた側面図
【図３】本発明の１部を切り欠いた斜視図
【符号の説明】
【０００８】  １  刷毛先
２  刷毛本体
３  接続部
４  糊入れボトル
５  管
６  糊出し口
【図１】
0003114035.tif 000003
【図２】
0003114035.tif 000004
【図３】
0003114035.tif 000005
(57)【要約】      （修正有）【課題】ごみ取りシートを携帯可能なものにし、簡単に衣類のほこりや机上、床の小さなごみ等身のまわりのほこりやごみを取る事ができるようにして、捨てる時も速やかな処理が行える袋状の小型使い捨てごみ取りシートの提供。【解決手段】ごみ取りシートを手のひら程度の大きさにし、シートの表側の片面を粘着面１とした袋状のものにする事により携帯可能となる。さらに粘着面にはく離紙２をつけて使用時にこれをはがして用いる事で簡単に衣類や机上、床のほこりやごみを粘着面で取る事ができる。そして使用後は袋状シートの内側上部につけたつまみ部分を利用し、表と裏をひっくり返す事で粘着面が他のものにくっついたりせずに捨てる事ができる。【選択図】図１
0003114032.tif 000002
【実用新案登録請求の範囲】
【請求項１】
内側につまみ部分を付けた袋状の使い捨て粘着シート。
【考案の詳細な説明】
【技術分野】
【０００１】  本考案は日常生活における衣類のほこり、床の小さなごみ、いす等のシートや机上の小さなごみ、ほこり等あらゆる物のごみ取りやほこり取りに使用する事ができる使い捨て粘着シートに関するものである。
［背景技術］【０００２】  ロール状になった粘着テープをころがしてごみやほこりを取ったり、ガムテープ等を切ってごみを取っていた。また、衣類のごみやほこりを洋服ブラシではたきおとしていた。
［考案の開示］
［考案が解決しようとする課題］【０００３】  ロール状の粘着テープやガムテープでごみやほこりを取った場合、使用後のテープの処理も手で切り取ったりと手がかかり、ごみ入れに捨てた際、粘着面がごみ入れ内部にくっつく事もあるというわずらわしさがある。また、外出先での使用には不向きである。洋服ブラシを使用した場合は、まわりがほこるという欠点がある。本考案は前述の様な問題点を除いて、だれでも場所を問わず簡単にごみ処理と使用後の処分をできるようにしようとするものである。
［課題を解決するための手段］【０００４】  本考案は、手のひら程度の大きさで袋状にしたシートの表側の片面を粘着面とし、その粘着面には、はく離紙をつけこれをはがして使用する事で、ごみやほこりを付着し、さらに内側の上部につまみ部分をつけ、これを利用してうらがえして捨てられるようにする事により問題点を解決している。
［考案の効果］【０００５】  本考案により、衣類のほこりや床の小さなごみ、机上やいす等のごみやほこりを、このごみ取りシートを手にはめ使用する事で、手を汚す事なくだれでも簡単に取る事ができる。携帯にも向くので、外出先でも衣類のほこり等を速やかに処理できる。また、使用後は表と裏をひっくり返して粘着面を内側にする事により、捨てた時にごみ入れにくっつくといったわずらわしさも解消される。粘着面を折ったり巻いたりする場合は、粘着面にはすでにごみが付着しているので粘着力も弱く、再び粘着面が露出する事もあるが、この方法なら前述のような事もない。
［考案の実施するための最良の形態］【０００６】  添付図面に従って説明すると、まず袋状シートの内部に手を入れ、つぎにはく離紙２をはがして粘着面１で軽くおさえるようにしてごみ、ほこりを取る。使用後は、内側上部のつまみ部分３を指でもち、袋の口４をもう片方の手でめくるように裏返して粘着面１が内側になるようにして処分する。【０００７】  その他の使用方法として、手にはめずに机上に置いて作業時の小さいごみをシート上に置くようにすれば、机上でのごみの散乱が防げる。洋裁や手芸等をする際に用いれば、さらに作品の仕上げの糸くず取り等にも使用する事ができる。
【図面の簡単な説明】
【０００８】［図１］本考案の袋状の小型使い捨てごみ取りシートの全体図である。
［図２］本ごみ取りシートの表側の平面図である。
［図３］本ごみ取りシートの内側の図である。
［図４］本ごみ取りシートの断面図である。
【符号の説明】
【０００９】１  粘着面
２  はく離紙
３  つまみ部分
４  袋の口
５  袋内部
【図１】
0003114032.tif 000003
【図２】
0003114032.tif 000004
【図３】
0003114032.tif 000005
【図４】
0003114032.tif 000006
(57)【要約】      （修正有）【課題】携帯電話機等の表示画面部分の装飾性を安価、かつ、容易に高めることができるようにする。【解決手段】機器の表示画面上に貼り付け使用する貼り付けフィルム１において、表面に印刷により装飾模様５が盛り上がり状態に付設されてなるもの。【選択図】図２
0003114036.tif 000002
【実用新案登録請求の範囲】
【請求項１】
機器の表示画面上に貼り付け使用する貼り付けフィルムにおいて、
表面に印刷により装飾模様が盛り上がり状態に付設されてなることを特徴とする貼り付けフィルム。
【考案の詳細な説明】
【技術分野】
【０００１】  この考案は、携帯電話機等の表示画面に貼り付け使用される各種のフィルムに関する。
【背景技術】
【０００２】  最近においては携帯電話機において高いファッション性が求められ、とくに若者の間では表示画面部分の装飾性を高めることが行なわれている。
【考案の開示】
【考案が解決しようとする課題】
【０００３】  この考案では、携帯電話機等の表示画面部分の装飾性を安価、かつ、容易に高めることができるようにすることを目的とする。
【課題を解決するための手段】
【０００４】  この考案では、機器の表示画面上に貼り付け使用する貼り付けフィルムにおいて、表面に印刷により装飾模様が盛り上がり状態に付設されてなるものを提供する。【０００５】  この貼り付けフィルムが機器の表示画面上に貼り付け使用されると、表示画面部分が立体的な装飾模様により装飾される。この考案の貼り付けフィルムは、例えば、携帯電話機の表示画面の保護フィルムや覗き見防止フィルムとして用いられ、この考案の貼り付けフィルムがそれらに使用されることで、同時に表示画面部分の装飾性も高められるようになる。装飾模様は印刷により形成されることで容易に得られるとともに、かつ、装飾性が豊かなバライティーな形態が得られる。
【考案の効果】
【０００６】  この考案によれば、携帯電話機等の機器の表示画面部分の装飾性を安価、かつ、容易に高めることができるようになる。
【考案を実施するための最良の形態】
【０００７】  図１はこの考案の貼り付けフィルムとしての携帯電話機に使用される覗き見防止フィルムの平面図、図２はその部分拡大断面構成図である。【０００８】  覗き見防止フィルム１は、覗き見防止機能を持つポリエステル製の透明のフィルム本体２上にポリエチレンテレフタレート製の透明のカバーフィルム３が積層され、略中央位置にキャラクター模様４が付されるとともに周縁位置に沿って装飾模様５が付されて構成されている。フィルム本体２としては真上からは下方が透視でき、斜め位置からは表面反射等により下方の透視ができないようにする覗き見防止機能を持つものであれば、適宜構成のものが使用される。【０００９】  フィルム本体２上の略中央位置に上記キャラクター模様４が付設され、上記装飾模様５に相対する位置に鏡面模様７が付設されるとともに、その上部に着色模様８が積層状態に付設されている。【００１０】  次に、上記覗き見防止フィルム１の製造方法を説明する。まず、フィルム本体２上の所定位置にシルクスクリーン印刷によりメタル材料よりなる鏡面模様７を印刷形成し、次に、オフセット印刷により鏡面模様７上の着色模様８とキャラクター模様４とを同時に印刷形成する。そのようにそれぞれの模様が形成されたフィルム本体２上に、カバーフィルム３を貼り、その表面の鏡面模様７と着色模様８との積層部分に相対する位置に透明の紫外線硬化型インクを用いシルクスクリーン印刷により厚盛り状態に装飾模様５を印刷形成する。【００１１】  装飾模様５の厚さは０．３ｍｍ程度とされ（フィルム本体の厚さ０．２ｍｍ程度）、これにより、覗き見防止フィルム１の周縁上に沿って縁飾り状に立体的な装飾模様５が形成される。とくに、その立体的な装飾模様５は、その底位置に鏡面模様７があるとともにその上層に着色模様８があることで、上方から光を受けた際にはその光が鏡面模様７で反射され、かつ、その反射光が着色模様８の色を帯びることとなり、これにより宝石のように美しく輝いて目立つものとなり、きわめて高い装飾性を発揮する。【００１２】  図３は上記覗き見防止フィルム１の使用状態を示し、覗き見防止フィルム１は裏面の離型フィルムが剥され、その粘着面が携帯電話機１０の表示画面１１面に貼り付けられて用いられる。覗き見防止フィルム１が装着使用されることで、表示画面１１が保護されるとともに覗き見が防止され、さらに、覗き見防止フィルム１が立体的な装飾模様５を周囲に持つことで表示画面１１部分の装飾性が格段に高められる。
【図面の簡単な説明】
【図１】この考案の貼り付けフィルムの実施形態である覗き見防止フィルムの実施形態の平面図
【図２】この考案の貼り付けフィルムの実施形態である覗き見防止フィルムの実施形態の部分拡大断面構成図
【図３】この考案の貼り付けフィルムの実施形態である覗き見防止フィルムの実施形態の使用状態斜視図
【符号の説明】
１    覗き見防止フィルム（貼り付けフィルム）
２    フィルム本体
５    装飾模様
【図１】
0003114036.tif 000003
【図２】
0003114036.tif 000004
【図３】
0003114036.tif 000005
(57)【要約】      （修正有）【課題】  傘たてなどに多くの傘が立てかけられている状態では自分の傘を非常に見つけ難いことと、もう一つは自分の傘に目印が無いことにより間違って持って行かれるといった２点の不都合を解決すること。【解決手段】  傘の柄に自分の目印となる飾り物付きホルダー１０を取り付けることにより、一目瞭然で自分の傘を見つけ出すことができ、また同時に自分の傘であることの証明にもなるため、この２つの課題を同時に解消することが出来る。１は、ホルダー部分、２は、飾り物部分、３は、接着剤部分、１０は、飾り物付きホルダー（傘の柄に巻きつける前の状態）。【選択図】図１
0003114031.tif 000002
【実用新案登録請求の範囲】
【請求項１】
どの様なタイプの傘の柄にも巻きつけられ固定出来るホルダー部分と目印なる立体形状の飾り物部分を一体化した小間物。
【考案の詳細な説明】
【技術分野】
【０００１】    本考案は、傘の柄に立体的な飾り物を固定して使用する小間物に関する。
【背景技術】
【０００２】    従来の傘には、自分の傘を示す目印がない。
【考案の開示】
【考案が解決しようとする課題】
【０００３】    しかし、これでは傘たてなどに多くの傘が立てかけられている場合、自分の傘がどれなのか非常に探し辛く不便である。しかも間違えて持って行かれるケースもある。
【課題を解決するための手段】
【０００４】    そこで、自分の傘の目印となる飾り物と傘の柄に巻きつけるホルダーを一体化させた飾り物付きホルダーを考案した。（図１）
【考案の効果】
【０００５】    よって、本考案の傘の柄に取り付ける飾り物付きホルダーにより、たくさん傘が並んでいる中でもそれが目印となりいち早く自分の傘を発見する事が出来るし、間違えて持って行かれることもなくなる。しかも飾り物部分はキャラクターやマーク、ロゴなど自分の好きなものを選んで取り付けられるので、付けて遊ぶ楽しさもある。またケータイストラップなどに代わる新しい企業の販促物としても活用できる。
【考案を実施するための最良の形状】
【０００６】    本考案に係る傘の柄に取り付ける飾り物付きホルダー１０は、図１に示すようにどのような傘の柄にも取り付けられるようにひも状のホルダーで傘の柄としっかり固定する。よってホルダー部分の材質は簡単に曲がりしかも滑りにくい材質が良く、またより傘の柄と固定させるために図１の３には接着剤が付いている。但し目的は飾り物部分を傘の柄に取り付けることなので、材質や方法は特にこだわらない。また飾り物部分はキャラクターやロゴマークなどオリジナル性の高い立体形状物が望ましい。
【図面の簡単な説明】
【０００７】
【図１】本考案に係る傘の柄に取り付ける飾り物付きホルダー全体を示した図である。
【図２】本考案に係る傘の柄に取り付ける飾り物付きホルダーを傘の柄に取り付けて、実際の使用状態を示した部分拡大図である。
【図３】本考案に係る傘の柄に取り付ける飾り物付きホルダーを傘の柄に取り付けて、実際の使用状態を示した図である。
【符号の説明】
【０００８】      １        ホルダー部分
２        飾り物部分
３        接着剤部分
４        傘の柄
１０        飾り物付きホルダー（傘の柄に巻きつける前の状態）
２０        傘
【図１】
0003114031.tif 000003
【図２】
0003114031.tif 000004
【図３】
0003114031.tif 000005
(57)【要約】      （修正有）【課題】鶏卵の殻を割るのに適した、携帯にも便利なペンチ型用具の提供。【解決手段】  緩やかに湾曲した刃１と、刃１よりも険しく湾曲または屈曲した刃２とを有するペンチ型の用具。この用具の刃１と刃２で鶏卵６を挟み柄４を握ることにより、刃２の先端部分の角５と接する所で鶏卵６の殻が割れるようになる。このペンチ型用具を用いれば、テーブル等の台を使う必要がなくなり、携帯にも便利である。【選択図】図１
0003114034.tif 000002
【実用新案登録請求の範囲】
【請求項１】
緩やかに湾曲した刃１と、刃１よりも険しく湾曲または屈曲した刃２とを有する鶏卵の殼を割るためのペンチ型の用具である。
【考案の詳細な説明】
【技術分野】
【０００１】  本考案は鶏卵の殻を割るためのペンチ型の用具に関するものである。
【背景技術】
【０００２】  従来のペンチは鶏卵の殻を割るという用途がなかった。また、鶏卵の殻を割るための用具として家庭向けのものがなかった。
【考案の開示】
【考案が解決しようとする課題】
【０００３】  従来のペンチには鶏卵の殻を割るのに適したサイズおよび形状のものがない。このため、従来のペンチでは鶏卵の殻を正確に割れない。また、鶏卵を手に持ってテーブル等の台に叩きつけて鶏卵の殻を割るという元来の原始的な方法では、本来鶏卵の殻を割るためのものではない台に鶏卵の白身が付着してしまい台が汚れるといった問題があった。
【課題を解決するための手段】
【０００４】  緩やかに湾曲した刃１と、刃１よりも険しく湾曲または屈曲した刃２とを有するペンチ型の用具を考案し、この用具の刃１と刃２で鶏卵６を挟み柄４を握ることにより、刃２の先端部分の角５と接する所で鶏卵６の殻が割れるようになる。ここで、鶏卵６の殻が鶏卵６の中央部付近で割れやすくなるようにするために、刃１と刃２で鶏卵６を殻が割れない程度に軽く挟んだとき、刃１の内側のほぼ全ての部分が鶏卵６と接するようにし、さらに、刃２の先端部分の角５が鶏卵６の中央部または中央部付近と接するようにする。この用具を用いれば、鶏卵の殻を割るためにテーブル等の台を使う必要がなくなる。
【考案の効果】
【０００５】  本考案であるペンチ型の用具を用いればテーブル等の台を要さずに鶏卵の殻を割ることができ、携帯するにも手軽なサイズで便利である。
【作用】
【０００６】  刃１と刃２で鶏卵６を挟み柄４を強く握ることにより、鶏卵６は刃１で支えられ、刃２の先端部分の角５と接する所（鶏卵の中央部または中央部付近）に大きな力が加わり、その力により鶏卵６の殻が割れる。
【実施例】
【０００７】  緩やかに湾曲した刃１と、刃１よりも険しく湾曲または屈曲した刃２とを有する鶏卵の殻を割るためのペンチ型の用具である。
本考案は以上のような構造でこれを使用するときは、柄４を開いて刃１と刃２で鶏卵を挟み、その状態で鶏卵の殻が割れるまで柄４を強く握ればよい。
【図面の簡単な説明】
【図１】  本考案の正面図である。
【図２】  本考案であるペンチ型の用具で鶏卵を挟む寸前の状態の正面図である。
【図３】  刃１の拡大図であり、かつ斜視図である。
【図４】  刃２の拡大図であり、かつ斜視図である。
【符号の説明】
１  緩やかに湾曲した刃
２  刃１より険しく湾曲した刃
３  回転軸
４  柄
５  刃２の先端部分の角
６  鶏卵
【図１】
0003114034.tif 000003
【図２】
0003114034.tif 000004
【図３】
0003114034.tif 000005
【図４】
0003114034.tif 000006
(57)【要約】【課題】      指先はもとより、踵部分の通気性を高めることにより、糖尿病より生じる壊疽に優れた抑止効果を発揮することができる靴下を提供すること。【解決手段】  足に装着する靴下において、前記靴下の踵部分に踵開口部を設けると共に、先端部分に指先開口部を設けたことを特徴とする。また前記指先開口部に、親指と他の指とを区分けする仕切り部を形成した。【選択図】    図１
0003114044.tif 000002
【実用新案登録請求の範囲】
【請求項１】
足に装着する靴下において、前記靴下の踵部分に踵開口部を設けると共に、先端部分に指先開口部を設けたことを特徴とする靴下。
【請求項２】
前記指先開口部に、親指と他の指とを区分けする仕切り部を形成した請求項１記載の靴下。
【考案の詳細な説明】
【技術分野】
【０００１】  本考案は、足に装着される靴下において、特に、装着時における高い通気性を発揮することにより、糖尿病から生じる壊疽に優れた抑止効果を発揮することができる靴下に関する。
【背景技術】
【０００２】  糖尿病を起因とする壊疽においては、その症状を抑止するために、足を清潔な状態に保つと共に、靴下装着時に足の通気性を高める必要がある。そのため従来、簡単な構造で通気性及びマッサージ効果の双方を得ることができる靴下がある（例えば、特許文献１参照）。
上掲特許文献１の靴下は、靴下の上布部分及び下布部分の足の指の付け根に対応する上下部分に通気孔を形成するとともに、通気孔の内の下布部分の通気孔の周囲に突起状の環状部材を内側に向けて形成し、更に、靴下の下布部分の通気孔が形成されていない部分にも突起状の環状部材を形成した。
【特許文献１】特開平０９−３１７０５号公報（第１−２頁、図１）
【考案の開示】
【考案が解決しようとする課題】
【０００３】  しかしながら、上掲特許文献１の靴下は、通気孔が小径状であり、さらに形成されている部分が足の指の付け根であるために、外気に触れる部分が少なく高い通気性が得られないという欠点があった。また、壊疽が生じやすい踵部分の通気性も得られないという問題も残った。【０００４】  そこで本考案は、上記した従来技術の課題を解決するために、指先はもとより、踵部分の通気性を高めることにより、糖尿病により生じる壊疽に優れた抑止効果を発揮することができる靴下を提供することにある。
【課題を解決するための手段】
【０００５】  上記課題を解決するために、足に装着する靴下において、前記靴下の踵部分に踵開口部を設けると共に、先端部分に指先開口部を設けたことを特徴とする。また前記指先開口部に、親指と他の指とを区分けする仕切り部を形成した。
【考案の効果】
【０００６】  靴下の踵部分に踵開口部を設け、先端部分に指先開口部を設けたことにより、靴下装着時、指先と踵部分が外気に触れて高い通気性が得られ、糖尿病より生じる壊疽に優れた抑止効果を発揮できる。また、指先開口部に、親指と他の指とを区分けする仕切り部を形成したことで、装着時における指先開口部の捲り上がりを防止する。
【考案を実施するための最良の手段】
【０００７】  以下、本考案における靴下の実施の形態を図面に基づいて説明する。
図１に示す靴下１は、靴下本体２の踵部分に踵開口部３を設けると共に、前記靴下本体２の先端部分に指先開口部４を設けたことを特徴とする。
【０００８】  前記靴下１の靴下本体２は、特に素材の限定はなく、ポリエステル、ナイロン、アセテート、ポリウレタン、木綿等の化学繊維、天然繊維、若しくはそれらの混紡繊維にて形成されている。
【０００９】  また特に、前記靴下本体２の踵部分には踵開口部３が設けられている。前記踵開口部３は、靴下装着時、身体の踵部分が露出される状態に形成されており、周囲はほつれを防止するロック加工等が施されている。
【００１０】  また、前記靴下本体２の先端部分には、装着時に足の指先が露出される指先開口部４が形成されている。かかる指先開口部４の周囲は、ほつれを防止するロック加工等が施されている。
【００１１】  また他の好適例として、前記指先開口部４に、足の親指と他の指とを区分けする仕切り部５を形成した。前記仕切り部５は指先開口部４の上布と下布とを縫着、若しくは連結することにより形成されている。前記仕切り部５を設けることにより、図示すように、足の親指と他の指とを区分けすることができ、靴下装着時における指先開口部４の捲り上がりを防止することも可能となる。
【００１２】  次に、本考案の靴下の装着状態を図２乃至図４に基づいて説明する。
図２においては、本考案の靴下１を装着した状態の側面図であり、靴下本体２の踵開口部２より踵が、また指先開口部４からは足の指先が外気に触れた状態で露出されている。図３においては、靴下１を装着した状態の背面図であり、踵開口部２から踵が露出されている。また図４においては、靴下１装着時の正面図を表すもので、指先開口部３から足の指先が露出され外気に触れた状態となる。
【００１３】  前記靴下本体２に踵開口部３を設けたことで、靴下装着時に踵が露出された状態となり、また指先開口部４を設けたことで、足の指先が外気に触れた状態で露出される。そのことにより、踵や指先の蒸れによる雑菌の繁殖を抑え、糖尿病より生じる壊疽の抑止効果を発揮することができる。また指先開口部４に仕切り部５を設けたことにより、足の親指と他の指とを区分けすることができると共に、靴下装着時における指先開口部４の捲り上がりを防止することも可能となる。
【図面の簡単な説明】
【００１４】
【図１】本考案の靴下の全体斜視図である。
【図２】前記靴下の装着状態の側面図である。
【図３】前記靴下の装着状態の背面図である。
【図４】前記靴下の装着状態の正面図である。
【符号の説明】
【００１５】１  靴下
２  靴下本体
３  踵開口部
４  指先開口部
５  仕切り部
【図１】
0003114044.tif 000003
【図２】
0003114044.tif 000004
【図３】
0003114044.tif 000005
【図４】
0003114044.tif 000006
(57)【要約】      （修正有）【課題】車椅子に乗ったまま乗車する際のシートベルトは、前後の飛び出し防止には効果的だが、左右に振られた際に身体を保護するものが無く、アームレストによって、肋骨を骨折する危険性があった。そこで、この考案は、車椅子に乗っている人の安全性を高めることを課題とする。【解決手段】車椅子用安全具の本体１はポリエチレン製であり、一方の表面がポリエステルアルミ蒸着フィルムで覆われており、フィルムを外側にし、２枚重ねで接着されている。２の部分は脇用のくぼみである。２の脇用くぼみの下部分の本体１の間には板３が入っている。背中部分には突出部４が設けられている。腰用部分には、くぼみ５が設けられている。本体１には、ひも６がつけられている。【選択図】図１
0003114046.tif 000002
【実用新案登録請求の範囲】
【請求項１】
肋骨にかかる衝撃を吸収する素材を用いることを特徴とする、車椅子用安全具。
【請求項２】
前記衝撃を吸収する素材は、衝撃を分散させる板が入っていることを特徴とする。
【考案の詳細な説明】
【技術分野】
【０００１】  本考案は車椅子に乗ったまま乗車するための安全用具に関する。
【背景技術】
【０００２】  従来の車椅子に乗ったまま乗車する際のシートベルトは、腹部を押さえ、前後の飛び出しを防止するものである。
【考案の開示】
【考案が解決しようとする課題】
【０００３】  しかしながら、以上の技術によれば、左右に振られた際に、アームレストによって肋骨を骨折する危険性があった。
そこで、この考案は、車椅子に乗っている人の安全性を高めることを課題とする。
【課題を解決するための手段】
【０００４】  以上の課題を解決するために、第一考案は、肋骨にかかる衝撃を吸収する素材を用いることを特徴とする車椅子用安全具。
また、第二考案は、衝撃を吸収する素材には、装着時左右にあたる部分に板が入っていることを特徴とする車椅子用安全具である。
【考案の効果】
【０００５】  第一考案によれば、衝撃を吸収する素材を肋骨周辺に巻きつけることで、衝撃が吸収され、肋骨を守る。
第二発明によれば、装着時左右にあたる部分に板を入れることで、衝撃が一点に寄らず分散される。
【考案を実施するための最良の形態】
【０００６】  この考案の一実施形態を、図１に示す。
車椅子用安全具の本体１はポリエチレン製であり、一方の表面がポリエステルアルミ蒸着フィルムで覆われており、フィルムを外側にし、２枚重ねで接着されている。【０００７】  ２の部分は脇用のくぼみである。２の脇用くぼみの下部分の本体１の間には板３が入っている。背中部分には突出部４が設けられている。腰用部分には、くぼみ５が設けられている。本体１には、ひも６がつけられている。
「実施形態の効果」
この実施形態によれば、本体１の働きで、衝撃を受けた際、衝撃が吸収され、身体に伝わりにくい。したがって、肋骨を骨折しにくい。ひいては、臓器も守る。くぼみ２により、脇が痛くならない。板３が衝撃を分散させる。背中用突出部４、腰用くぼみ５により、上下にずれにくい。ひも６により、使用者の身体に合わせ固定できる。
【図面の簡単な説明】
【０００８】
【図１】この考案の一実施形態を示す斜視図である。
【図２】図１の本体１の装着図である。
【図３】従来技術を示す斜視図である。
【符号の説明】
【０００９】  １  車椅子用安全具本体    ２  くぼみ（脇用）      ３  板
４  突出部（背中用）      ５  くぼみ（腰用）      ６  ひも
【図１】
0003114046.tif 000003
【図２】
0003114046.tif 000004
【図３】
0003114046.tif 000005
(57)【要約】      （修正有）【課題】災害等で家屋及びライフラインが破損し、トイレに困る人の助けになるよう、経済的な非常トイレを提供する。【解決手段】合成木材ベンチ天板１は天板つなぎボルト２によってつなげられ、Ｌ型金物５とビス６により、ベンチ足３と固定されている。ベンチ足３はコンクリートタンク１０とつながっており、ベンチ足ズレ止め７とホールインアンカー８でコンクリートタンク天板９と固定される。また、コンクリートタンク天板９は分割式なので人力での取り外しが可能。コンクリートタンク１０の内側はＦＲＰ層１１が設置されているため洗浄が可能である。【選択図】図１
0003114047.tif 000002
【実用新案登録請求の範囲】
【請求項１】
本考案の災害時非常トイレにおいて、
（１）角パイプ型のベンチ足に取り付けた合成木材ベンチ天板と、ベンチ足を埋めこんだコンクリートタンクで構成されており、コンクリートタンクの内側はＦＲＰ層にて二重構造になっている。
（２）合成木材ベンチ天板はベンチ足から取り外す事によって非常トイレの柱となる。柱基礎はベンチ設置時に所定の位置に設けておく。
（３）合成木材ベンチ天板を柱として設置した後、付属のテントシートを被せることによって非常トイレになる。トイレ入口はチャック式となっており開け閉めが容易である。
（４）ベンチ足には蓋を被せており、非常トイレ時はこの蓋を取ることによって便座へと変わる。ベンチ足はコンクリートタンク内のＦＲＰ層へとつながっており、汚物はこの中へ溜められる。
（５）コンクリートタンクの天板は分割式となっており、人力での取り外しが可能である。コンクリートタンクの内部にはＦＲＰ層を脱着式として設置しているため、汲み取り後ＦＲＰ層を取り外して洗浄する事ができる。
（６）本考案の非常トイレは軽量にできているため、重機を使わずにすべて人力での組立ができる。また、組み立て時は電動工具などを一切使わなくても簡単な工具で組み立て可能である。
以上からなる非常トイレ。
【考案の詳細な説明】
【技術分野】
【０００１】本考案は地震などの災害時の非常トイレに関する。
【技術背景】
【０００２】一般的な仮設トイレは車輌による運搬が必要とされる。しかし災害によって道がふさがれた場合は目的地まで運ぶ事ができない。人力で運ぶことも可能だが非常に困難である。
【考案の開示】
【考案が解決しようとする課題】
【０００３】本考案は災害時に必要とされる仮設トイレとする。普段は合成木材を使用したベンチとして景観を損なう事がない。しかし非常時にはベンチを分解し、そのベンチの部材を使って非常トイレを組み立てることができる。しかも分解、組み立ては人力のみで可能である。景観を損なわず、経済的な非常トイレを目的としたものである。
【課題を解決するための手段】
【０００４】本考案の非常トイレは合成木材のベンチ天板とコンクリートタンク内部のＦＲＰ層につながっている角パイプ型ベンチ足とで構成される。【０００５】合成木材のベンチ天板は、ベンチ足から取り外して基礎穴に入れることにより、非常トイレの柱となる。柱基礎はベンチ設置時に設ける。【０００６】テントシートを合成木材の柱に被せる事で非常トイレの壁材となる。非常トイレ入口の開閉は内外よりチャックでできるようになっている。【０００７】コンクリートタンクの天板は数枚に分けられていて人力で取り外しができる。汚物の汲み取りは、便座又はコンクリートタンク天板からできる。コンクリートタンクの内部はＦＲＰ層を設置しているので、取り外しての洗浄が可能である。【０００８】本考案の非常トイレは普段はベンチとして利用される。しかし非常時には非常トイレとして組み立てて使用する。軽量にできているため、重機や電動工具を使用しなくても組み立てができる。
【考案の効果】
【０００９】本考案の非常トイレは従来の仮設トイレに対し、遠方から運搬してくる必要もなく、普段は景観を損なわないようベンチの形状をしている。しかし災害等の非常事態には人力のみで非常トイレに組み立てることができる。
【考案を実施するための最良の形態】
【００１０】図面によって本考案の非常トイレを説明する。図１において、合成木材ベンチ天板１は天板つなぎボルト２によってつなげられ、Ｌ型金物５とビス６により、ベンチ足３と固定されている。ベンチ足３はコンクリートタンク１０とつながっており、ベンチ足ズレ止め７とホールインアンカー８でコンクリートタンク天板９と固定される。また、コンクリートタンク天板９は分割式なので人力での取り外しが可能。コンクリートタンク１０の内側はＦＲＰ層１１が設置されているため洗浄が可能である。【００１１】図５において、合成木材ベンチ天板１をベンチ足３から取り外し、柱基礎１２へ入れることで非常トイレの柱となる。【００１２】図６において、柱１設置後、残りの合成木材ベンチ天板１とコンクリートタンク天板９につながっている付属品釣り金物１３から頭つなぎプレート１４をとり、柱１につなげる事によって、柱のズレを止める事ができる。また、ベンチ足３からベンチ蓋４をとる事によってＬ型金物５が便座へと変わる。【００１３】図７において、柱１設置後、付属品釣り金物１３からテントシート１５をとり、柱１に被せることによって非常トイレへと変わる。出入り口は内外からのチャック開閉式１６となっている。付属品釣り金物１３は、非常トイレ使用時、コンクリートタンク天板９から取り外す事ができる。【００１４】ベンチ分解から、非常トイレ組み立て、タンク内の洗浄まで重機や電動工具がい【００１４】ベンチ分解から、非常トイレ組み立て、タンク内の洗浄まで重機や電動工具がいらず、簡単な工具と人力だけで作業が可能になっている。
【産業上の利用可能性】
【００１５】本考案は地震などによる災害時の非常トイレに関する。
【図面の簡単な説明】
【図１】はベンチ形態正面断面図。
【図２】は正面拡大図。
【図３】はベンチ形態側面断面図。
【図４】は側面拡大図。
【図５】は柱基礎拡大断面図。
【図６】は非常トイレ平面展開図。
【図７】は非常トイレ立面図。
【符号の説明】
１、    合成木材ベンチ天板及び柱、頭つなぎ（脱着式）。９５×５０×２０００。
２、    合成木材ベンチ天板つなぎボルト。Ｍ１０。
３、    ベンチ足（脱着式）。ｔ６×２００×３８０。
４、    便座蓋（脱着式）。ｔ６×３３０×３８０。
５、    Ｌ型金物及び便座。
６、    ビス。
７、    ベンチ足ズレ止め。
８、    ホールインアンカー。
９、    コンクリートタンク天板（脱着式）。ｔ８０
１０、  コンクリートタンク。ｔ１００。５００リットル。
１１、  ＦＲＰ層（脱着式）。
１２、  柱基礎。
１３、  付属品釣り金物（脱着式）。
１４、  頭つなぎプレート。ｔ６。
１５、  テントシート。
１６、  チャック開閉式。
１７、  ＧＬ。
【図１】
0003114047.tif 000003
【図２】
0003114047.tif 000004
【図３】
0003114047.tif 000005
【図４】
0003114047.tif 000006
【図５】
0003114047.tif 000007
【図６】
0003114047.tif 000008
【図７】
0003114047.tif 000009
(57)【要約】      （修正有）【課題】清掃シートを固定する掃除具で、清掃シートの取り付けや取り外しを容易にする掃除具の提供。【解決手段】掃除具本体上部面３に面ファスナーのフック面４を清掃シート６の取り付け部として使用する掃除具本体１。【選択図】図１
0003114043.tif 000002
【実用新案登録請求の範囲】
【請求項１】
使い捨ての清掃シートを板状の掃除具本体に使用する把手がついた床用の掃除具で、掃除具本体と清掃シートの取り付け部として掃除具本体上部面に面ファスナーの鉤状の突起によるフック面を使用し、清掃シートの繊維に引っかけて、本体と清掃シートを固定する掃除具。
【考案の詳細な説明】
【技術分野】
【０００１】  使い捨ての清掃シートを板状の掃除具本体に使用する把手がついた床用の掃除具で、本考案は、掃除具本体と清掃シートの取り付け部として掃除具本体上部面に面ファスナーの鉤状の突起によるフック面を使用し、清掃シートの繊維に引っかけて本体と清掃シートを固定する掃除具である。
【背景技術】
【０００２】  掃除具本体と清掃シートの取り付け部は、掃除具本体上部面に数ヶ所の切り込みがあり、そこに清掃シートを指で挿し込んで固定していた。
【考案の開示】
【考案が解決しようとする課題】
【０００３】  切り込み部に清掃シートを挿し込む方法だと、清掃シートを取り付ける際に切り込み部に指が挟まり痛い時があったり、数ケ所の切り込み部に清掃シートを挿し込む手間がかかった。
また、切り込み部に清掃シートの挟まりが浅い時は、外れてしまうことがあり、本体と清掃シートの固定が安定しない時があるので、本体と清掃シートの取り付けや取り外しを容易にし、固定を安定させ、前途の欠点を解決しようとするものである。
【課題を解決するための手段】
【０００４】  本考案は、掃除具本体と清掃シートの取り付け部として掃除具本体上部面に面ファスナーの鉤状の突起によるフック面を使用し、清掃シートの繊維に引っかけて本体と清掃シートを固定する。
清掃シートの上に掃除具本体を乗せ、清掃部にならない部分の清掃シートを掃除具本体上部面に折り返して、掃除具本体上部面の面ファスナーフック面の上に乗せ、上から軽く押さえて固定する。
面ファスナーは、鉤状の突起によるフック面とパイル状のループ面で一組となった留め具であるが、本考案の掃除具には鉤状のフック面を掃除具本体上部面に使用し、清掃シートの繊維に引っかけて掃除具本体と清掃シートを固定する。
【考案の効果】
【０００５】  上記の様に、掃除具本体上部面に面ファスナーのフック面を清掃シートの取り付け部として使用することで、掃除具本体と清掃シートの取り付けや取り外しが簡単になり、本体と清掃シートの接着面が広く均一になるため、固定も安定し、問題点を解決している。
【考案を実施するための最良の形態】
【０００６】  従来の使い捨ての清掃シートを板状の掃除具本体に使用する把手がついた床用の掃除具は、掃除具本体上部面に数ケ所の切り込み部があり、そこに清掃シートを挿し込んで固定していたが、本考案は、掃除具本体と清掃シートの取り付け部として掃除具本体上部面に面ファスナーのフック面を使用する。清掃シートの上に掃除具本体を乗せ、清掃部にならない部分の清掃シートを掃除具本体上部面に折り返して、掃除具本体上部面の面ファスナーフック面の上に乗せ、上から軽く押さえて固定する。
面ファスナーは、鉤状の突起によるフック面とパイル状のループ面で一組となった留め具であるが、本考案の掃除具には鉤状のフック面を掃除具本体上部面に使用し、清掃シートの繊維に引っかけて掃除具本体と清掃シートを固定する。
【図面の簡単な説明】
【０００７】
【図１】掃除具本体上部面に面ファスナーのフック面を使用した掃除具の斜視図である。
【図２】図１の掃除具に清掃シートを取り付けた後の斜視図。
【図３】掃除具本体の側面図。
【図４】清掃シートを取り付けた後の側面図。
【符号の説明】
【０００８】１  掃除具本体
２  把手
３  本体上部面
４  面ファスナーフック面
５  掃除面
６  清掃シート
【図１】
0003114043.tif 000003
【図２】
0003114043.tif 000004
【図３】
0003114043.tif 000005
【図４】
0003114043.tif 000006